(57)【要約】【課題】柿の種状の形状をしたあられやピーナツ等の長形状の粒状食品を充填したボトルを、その口部が所定角度下方に向くように傾斜したとき、口部から一口分量の粒状食品が流出して流出が停止する粒状食品用ボトルを提供する。【解決手段】キャップが螺着される口部１２と口部１２よりも横断面積の大きい本体部１４との間がテーパ状肩部１６に形成された、長形状の粒状食品が充填される粒状食品用ボトル１０であって、該口部１２が上方を向いている垂直状態で粒状食品が口部１２の下端まで充填されたボトル１０を、口部１２が４５°下方に向くように傾斜して、口部１２から一口分量の粒状食品が流出したとき、ボトル１０内で粒状食品がブロックを形成して口部１２からの粒状食品の流出が停止するように、口部１２の内径φ及びテーパ状部１６の形状が調整されていることを特徴とする。【選択図】        図１
2006298459.tif 000002
【特許請求の範囲】
【請求項１】
キャップが螺着される口部と前記口部よりも横断面積の大きい本体部との間がテーパ状肩部に形成された、長形状の粒状食品が充填される粒状食品用ボトルであって、
該口部が上方を向いている垂直状態で粒状食品が前記口部下端まで充填された前記ボトルを、前記口部が４５°下方に向くように傾斜して、前記口部から一口分量の粒状食品が流出したとき、前記ボトル内で粒状食品がブロックを形成して口部からの粒状食品の流出が停止するように、前記口部の内径及びテーパ状部の形状が調整されていることを特徴とする粒状食品用ボトル。
【請求項２】
ボトルの口部の内径と粒状食品の長軸長との比（内径／長軸長）が１．１５〜１．５であり、前記ボトルのテーパ状肩部の肩長［（本体部上端の内周径−口部下端の内周径）／２］と肩高（口部下端のボトル底面からの高さ−本体部上端のボトル底面からの高さ）との比（肩長／肩高）が１以上である請求項１記載の粒状食品用ボトル。
【請求項３】
ボトルが、透明材料で形成されている請求項１又は請求項２記載の粒状食品用ボトル。
【請求項４】
粒状食品が、柿の種状のあられやピーナツである請求項１〜３のいずれか一項記載の粒状食品用ボトル。
【請求項５】
請求項１〜３のいずれか一項記載の粒状食品用ボトルに、長形状の粒状食品が充填されていると共に、前記口部にキャップが螺着されていることを特徴とする粒状食品入りボトル。
【請求項６】
長形状の粒状食品が、口部下端まで充填されている請求項５記載の粒状食品入りボトル。
【請求項７】
粒状食品が、柿の種状のあられやピーナツである請求項５又は請求項６記載の粒状食品入りボトル。
【発明の詳細な説明】
【技術分野】
【０００１】
本発明は粒状食品用ボトル及び粒状食品入りボトルに関し、更に詳細にはキャップが螺着される口部とこの口部よりも横断面積の大きい本体部との間がテーパ状肩部に形成された粒状食品用ボトル及び粒状食品入りボトルに関する。
【背景技術】
【０００２】
柿の種状の形状をしたあられやピーナツ等の粒状食品は、おやつや酒のつまみとして食されており、行楽にも持参される。
かかる粒状食品は、従来、所定量が密閉袋に収容されて販売されているが、密閉袋を開封して食した後には、開封した袋を簡単に再度密閉状態とすることは困難である。このため、袋に残った粒状食品は吸湿等して風味や食感が低下し易い。
また、開封した袋から粒状食品を取り出して食する際には、通常、掌に一口分の粒状食品を取り出して口に入れるため、手が汚れている場合には、食することが困難である。
この点、下記特許文献１には、図３に示す様に、干しブドウ等の食品を充填したプラスチック瓶１００が提案されている。このプラスチック瓶１００は、キャップ１０２が螺着される口部と、この口部よりも横断面積の大きい本体部１０４との間にテーパ状肩部１０６が形成されている。
【特許文献１】特開２００３−３４１６７４号公報（図６）
【発明の開示】
【発明が解決しようとする課題】
【０００３】
図６に示す様に、プラスチック瓶１００に干しブドウ等の食品を充填することによって、キャップ１０２を取って開封したプラスチック瓶１００から所定量の食品を取り出した後、キャップ１０２を口部に螺着することによって、再度、プラスチック瓶１００内を気密に保持でき、プラスチック瓶１００内に残った食品の吸湿等を防止できる。
また、プラスチック瓶１００の口部から人の口に直接食品を入れることも可能であるため、手が汚れていてもプラスチック瓶１００内の食品を食することができる。
しかし、図６に示すプラスチック瓶１００内に、図４（ａ）に示す柿の種状のあられＫや図４（ｂ）に示すピーナツＰ等の長形状の粒状食品を充填したところ、プラスチック瓶１００をその口部が真下近くなるまで傾けても、口部から粒状食品が出難く、一口分量の粒状食品が出てくるまで何回もプラスチック瓶１００を振ることが必要であった。
一方、充填した粒状食品がプラスチック瓶から出易い様に、内径の大きな口部が形成されたプラスチック瓶を用いたところ、プラスチック瓶の口部が若干下方に向くようにプラスチック瓶を傾斜したとき、一度に一口分量以上の粒状食品が流出した。特に、プラスチック瓶に、その口部下端まで粒状食品を充填した場合には、プラスチック瓶の口部が若干下方に向くようにプラスチック瓶を傾斜したとき、大量の粒状食品が一度に流出し、周囲に飛び散って無駄となることもある。
そこで、本発明の課題は、柿の種状の形状をしたあられやピーナツ等の長形状の粒状食品を充填したボトルを、その口部が所定角度下方に向くように傾斜したとき、口部から一口分量の粒状食品が流出して流出が停止する粒状食品用ボトル及び粒状食品入りボトルを提供することにある。
【課題を解決するための手段】
【０００４】
本発明者等は、前記課題を解決すべく検討を重ねた結果、長形状の粒状食品が充填されたボトルを傾斜したとき、ボトルの口部から一度に流出する粒状食品の流出量は、ボトルの口部の口径及び口部下端と本体部上端との間に形成されるテーパ状肩部の形状に因ることを見出し、本発明に到達した。
すなわち、本発明は、キャップが螺着される口部とこの口部よりも横断面積の大きい本体部との間がテーパ状肩部に形成された、長形状の粒状食品が充填される粒状食品用ボトルであって、該口部が上方を向いている垂直状態で粒状食品が前記口部下端まで充填された前記ボトルを、前記口部が４５°下方に向くように傾斜して、前記口部から一口分量の粒状食品が流出したとき、前記ボトル内で粒状食品がブロックを形成して口部からの粒状食品の流出が停止するように、前記口部の内径及びテーパ状部の形状が調整されていることを特徴とする粒状食品用ボトルにある。
また、本発明は、前述した粒状食品用ボトルに、長形状の粒状食品が充填されていると共に、前記口部にキャップが螺着されていることを特徴とする粒状食品入りボトルでもある。
【０００５】
かかる本発明において、ボトルの口部の内径と粒状食品の長軸長との比（内径／長軸長）を１．１５〜１・５とすると共に、前記ボトルのテーパ状肩部の肩長［（本体部上端の内周径−口部下端の内周径）／２］と肩高（口部下端のボトル底面からの高さ−本体部上端のボトル底面からの高さ）との比（肩長／肩高）を１以上とすることが効果的である。
更に、ボトルを、透明材料で形成することにより、粒状食品の状態及びその充填量等をボトルの外側から目視でき好ましい。
また、長形状の粒状食品をボトルの口部下端まで充填することによって、ボトルの充填効率を向上できる。
尚、粒状食品としては、柿の種状のあられやピーナツを好適に用いることができる。
【発明の効果】
【０００６】
本発明に係る粒状食品用ボトルに、その口部下端まで長形状の粒状食品を充填し、ボトルの口部が４５°下方に向くようにボトルを傾斜すると、粒状食品は容易に流出を開始し、一口分量の粒状食品が流出したとき、口部下端近傍で粒状食品のブロックが形成されて、それ以上の粒状食品の流出が停止する。
この口部下端近傍で形成された粒状食品のブロックは、ボトルに振動等の外力を加えることによって破壊でき、粒状食品の流出を再開できる。粒状食品の流出が再開した場合も、一口分量の粒状食品が流出したとき、口部下端近傍に粒状食品のブロックが形成されて粒状食品の流出が停止する。
この様に、本発明に係る粒状食品用ボトルでは、その口部下端まで長形状の粒状食品を充填しても、ボトルを傾斜した際に、口部から粒状食品の流出が直ちに開始し、一口分量の粒状食品が流出したとき、粒状食品の流出は停止する。
このため、本発明に係る粒状食品用ボトルを用いることによって、粒状食品が充填されたボトルの口部から粒状食品が出難い事態や、大量の粒状食品が一度に流出して周囲に飛散する事態を防止できる。
【発明を実施するための最良の形態】
【０００７】
本発明に係る粒状食品用ボトルの一例を図１に示す。図１に示すボトル１０は、ポリエチレンテレフタレート（ＰＥＴ）によって形成された透明なボトルであって、キャップが螺着される口部１２と口部１２よりも横断面積の大きい本体部１４との間がテーパ状肩部１６に形成されている。
かかるボトル１０は、図４（ａ）に示す柿の種状のあられＫや図４（ｂ）に示すピーナツＰ等の長形状の粒状食品が充填される。
ここで言う「長形状の粒状食品」とは、粒状食品の外周上の二点を結ぶ直線長が最長となる長軸長Ｌと、この長軸長Ｌと直交する方向において、粒状食品の外周上の二点を結ぶ直線長が最長となる短軸長Ｗとが存在し、且つ長軸長Ｌ＞短軸長Ｗとなる粒状食品をいう。
尚、長軸長Ｌと短軸長Ｗとは、粒状食品群からランダムに取り出した１０粒の平均値である。
【０００８】
図１に示すボトル１０の口部１２は、口部１２の内径φと図４に示す長形状の粒状食品の長軸長Ｌとの比（内径φ／長軸長Ｌ）が１．１５〜１．５となるように形成されている。
この内径φ／長軸長Ｌの比が１．１５未満では、ボトル１０を傾斜しても、ボトル１０に充填した粒状食品が口部１２から流出し難くなる傾向にある。
一方、内径φ／長軸長Ｌの比が１．５を越える場合には、ボトル１０を傾斜したとき、ボトル１０に充填した粒状食品が口部１２から一口分量を越えて流出し易くなる傾向にある。
また、図１に示すボトル１０は、そのテーパ状肩部１６の肩長Ｓと肩高Ｈとの比（肩長Ｓ／肩高Ｈ）が１以上である。
この肩長Ｓとは、［（本体部１４の上端内周径−口部１２の下端内周径）／２］をいい、肩高Ｈとは、（口部１２の下端のボトル底面からの高さ−本体部１４の上端のボトル底面からの高さ）をいう。
かかる肩長Ｓ／肩高Ｈの比が１未満の場合、テーパ状肩部１６の傾斜角が大きく、長形状の粒状食品を充填したボトル１０を、口部１２が下方に向くように傾斜しても、口部１２の下端近傍でブロックを形成し難い傾向にある。このため、粒状食品が口部１２から一口分量以上流出し易くなる傾向にある。
尚、ボトル１０の本体部１４が多面体形状である場合、その上端内周径は、対角間長さ及び対面長さの平均値をとる。
【０００９】
図１に示すボトル１０に、その口部１２が上方を向いている垂直状態で図４に示す長形状の粒状食品を口部１２の下端まで充填した後、図２に示す様に、口部１２の傾斜角αが４５°下方に向くようにボトル１０を傾斜すると、粒状食品の一口分量が口部１２から流出した際に、口部１２の下端近傍で粒状食品のブロックが形成されて、粒状食品の流出が停止する。
このため、図１に示すボトル１０を用いることによって、粒状食品が充填されたボトル１０の口部からの粒状食品の流出が容易に開始され、一口分量を大幅に越える大量の粒状食品が一度に流出して周囲に飛散する事態を防止できる。
尚、図１に示すボトル１０に図４に示す長形状の粒状食品を充填して市場に供する際には、図４に示す長形状の粒状食品をボトル１０の口部１２の下端まで充填した後、必要に応じて乾燥剤や脱酸素剤等が封入された袋体を挿入し、ボトル１０の口部１２にキャップを螺着して市場に供する。
【実施例１】
【００１０】
（１）下記表１に示す口部１２の口径及びテーパ状肩部１６の形状の各種のボトルを用いた。
【表１】
2006298459.tif 000003
（２）図４（ａ）に示す柿の種形状のあられＫと、図４（ｂ）に示す形状のピーナツＰとを、重量比で３：２の比率で混合した混合粒状食品（以下、「柿ピー」と称することがある）を、表１に示す各種ボトル１０の口部１２の下端まで充填し、口部１２が上方に向いた状態のボトル１０を、図２に示す様に、ボトル１０の口部１２が４５°下方に向くようにボトル１０を傾斜して、「柿ピー」の流出量を測定した。
この測定は、「柿ピー」を所定量充填したボトル１０について、３回繰り返して行なった後、ボトル１０から「柿ピー」の全量を抜き出し、再度、「柿ピー」をボトル１０の口部１２の下端まで充填して、同様な測定を行った。この様な「柿ピー」のボトル１０への再充填を２回行なった。その測定結果を下記の表２に示す。
この傾斜実験では、１回目及び２回目のボトルの傾斜実験で共に「柿ピー」の流出量が極めて多い場合には、３回目のボトルの傾斜実験は中止した。また、１回目のボトルの傾斜実験で著しく「柿ピー」の流出量が多い場合にも、２回目及び３回目のボトルの傾斜実験は中止した。
一方、１回目及び２回目のボトルの傾斜実験で共に「柿ピー」の流出量が極めて少ない場合には、３回目のボトルの傾斜実験は中止した。
【００１１】
ここで、あられＫの平均寸法は、２６ｍｍ（長軸長Ｌ）×７ｍｍ（短軸長Ｗ）×５ｍｍ（厚さ）であって、一粒の重量は０．３ｇであり、ピーナツＰの平均寸法は、２１ｍｍ（長軸長Ｌ）×１１ｍｍ（短軸長Ｗ）×９ｍｍ（厚さ）であって、一粒の重量は１．０ｇである。あられＫの長軸長Ｌに対するボトル１０の口部１２の内径φとの比（φ／ＬK）、及びピーナツＰの長軸長Ｌに対するボトル１０の口部１２の内径φとの比（φ／ＬP）は、上記表１に併記した。
また、かかる「柿ピー」の一口分量としては、約５ｇ程度（あられＫが１０粒とピーナツＰが２粒程度）が好適である。
【００１２】
【表２】
2006298459.tif 000004
表２から明らかな様に、ボトルＦは、その口径が「柿ピー」のあられＫ及びピーナツＰの長軸長Ｌに対して大き過ぎて、ボトルＦの口部１２が４５°下方に向くようにボトルＦを傾斜したとき、ボトルＦ内の「柿ピー」が殆ど流出した。
一方、ボトルＤ，Ｅは、その口径のいずれも「柿ピー」のあられＫ及びピーナツＰの長軸長Ｌに対して小さ過ぎて、ボトルＤ，Ｅの口部１２が４５°下方に向くようにボトルＤ，Ｅを傾斜しても、ボトルＤ，Ｅから流出する「柿ピー」の流出量は、いずれも５ｇ未満であって、一口分量よりも少なかった。
これに対し、ボトルＡ，Ｂ，Ｃは、その口径の「柿ピー」のあられＫ及びピーナツＰの長軸長Ｌに対する口径φ／「柿ピー」の長軸長Ｌが１．１５〜１．４８の範囲内であるが、ボトルＢ，Ｃでは、そのテーパ状肩部は、ボトルＡのテーパ状肩部に比較して、その傾斜角が大きい。このため、ボトルＢ，Ｃに充填した「柿ピー」は、ボトルＢ，Ｃの口部が４５°下方に向くようにボトルＢ，Ｃを傾斜した際に、口部の下端近傍で「柿ピー」のブリッジを形成し難く、一口分量である５ｇを著しく超える「柿ピー」が流出する。
この点、ボトルＡでは、その口径φ／「柿ピー」の長軸長ＬはボトルＤ，Ｅと略同一値であるが、そのテーパ状肩部は、ボトルＢ，Ｃのテーパ状肩部に比較して、その傾斜角が小さい。このため、ボトルＡに充填した「柿ピー」は、ボトルＡの口部が４５°下方に向くようにボトルＡを傾斜した際に、一口分量の約５ｇ近傍の「柿ピー」が流出したとき、口部の下端近傍で「柿ピー」のブリッジを形成し、「柿ピー」の流出が停止する。
【実施例２】
【００１３】
実施例１において、あられＫのみをボトルに充填した他は、実施例１と同様にして傾斜実験を行ない、その結果を下記表３に示す。
あられＫの場合の一口分量としては、約３ｇ（１０粒）程度である。
【表３】
2006298459.tif 000005
表３からも明らかな様に、ボトルＢ，Ｃ，Ｆでは、ボトルＢ，Ｃ，Ｆの口部が４５°下方に向くようにボトルＢ，Ｃ，Ｆを傾斜したとき、一口分量である３ｇを著しく超えるあられれＫが流出する。
一方、ボトルＤ，Ｅでは、ボトルＤ，Ｅの口部が４５°下方に向くようにボトルＤ，Ｅを傾斜したとき、その流出量は一口分量である３ｇよりも少なかった。
この点、ボトルＡでは、その口部が４５°下方に向くように傾斜したとき、一口分量の約３ｇ近傍のあられＫが流出した。
【実施例３】
【００１４】
実施例１において、ピーナツＰのみをボトルに充填した他は、実施例１と同様にして傾斜実験を行ない、その結果を下記表４に示す。
ピーナツＰの場合の一口分量としては、約１０ｇ（１０粒）程度である。
【表４】
2006298459.tif 000006
表４からも明らかな様に、ボトルＢ，Ｃ，Ｆでは、ボトルＢ，Ｃ，Ｆの口部が４５°下方に向くようにボトルＢ，Ｃ，Ｆを傾斜したとき、一口分量である１０ｇを著しく超えるピーナツＰが流出する。
一方、ボトルＤ，Ｅでは、ボトルＤ，Ｅの口部が４５°下方に向くようにボトルＤ，Ｅを傾斜したとき、その流出量は一口分量である１０ｇよりも少なかった。
この点、ボトルＡでは、その口部が４５°下方に向くように傾斜したとき、一口分量の約１０ｇ近傍のピーナツＰが流出した。
【図面の簡単な説明】
【００１５】
【図１】本発明に係る粒状食品用ボトルの一例を示す正面図である。
【図２】図１に示す粒状食品用ボトルを、その口部が４５°下方を向くように傾斜した状態を説明する説明図である。
【図３】従来の粒状食品用ボトルを示す斜視図である。
【図４】粒状食品の一例を説明する正面図である。
【符号の説明】
【００１６】
１０  ボトル
１２  口部
１４  本体部
１６  テーパ状肩部
Ｈ    肩高
Ｌ    長軸長
Ｐ    ピーナツ
Ｓ    肩長
Ｗ    短軸長
α    傾斜角
φ    口部１２の内径
【図１】
2006298459.tif 000007
【図２】
2006298459.tif 000008
【図３】
2006298459.tif 000009
【図４】
2006298459.tif 000010